(57)【要約】【課題】交換作業が容易で汎用性があり簡易な構造で足りるシリンダー錠を実現する。【解決手段】ケース体１１には、軸線１０ｘを中心とした円形とは異なる内周縁形状を備えたケース係止部１１ｓが設けられ、内筒１３には、ケース係止部１１ｓに対して軸線方向後方から係合して外筒１２及び内筒１３の軸線方向前方への脱出を防止する抜け止め係合部２５ｂを備えた抜け止め部材２５が半径方向に移動可能で内筒１３とともに回転するように装着され、抜け止め係合部２５ｂは、交換鍵ＣＫが鍵穴１３ａに挿入されていない場合には内筒１３の角度位置に拘わらずケース係止部１１ｓに係合する半径方向外側の係止位置ＬＴに配置され、交換鍵が鍵穴１３ａに挿入された場合には内筒１３の角度位置に応じた前記内周縁形状の対応部位の半径方向の位置変化によりケース係止部１１ｓに対する係合の可否を生ずる半径方向内側の退避位置ＲＴに配置される。【選択図】図１
2013014953.tif 000002
【特許請求の範囲】
【請求項１】
軸線に沿って設けられた鍵穴を備えた内筒と、該内筒を回転可能に収容する外筒と、該外筒を前記軸線方向前方より挿脱可能に収容するケース体と、前記鍵穴内に挿入された鍵構造に応じて前記外筒に対する前記内筒の回転の可否を決める錠止手段と、を具備したシリンダー錠において、
前記ケース体は、前記軸線を中心とした円形とは異なる内周縁形状を備えたケース係止部を有し、
前記内筒には、前記鍵穴に臨む鍵係合部、及び、前記ケース係止部に対して軸線方向後方から係合することで前記ケース体に対する前記内筒の軸線方向前方への脱出を防止する抜け止め係合部を備えた抜け止め部材が半径方向に移動可能で前記内筒とともに回転するように装着され、
前記抜け止め係合部は、交換鍵が前記鍵穴に挿入されていない場合には前記内筒の少なくとも回転可能範囲内の角度位置に拘わらず前記ケース係止部に係合する半径方向外側の係止位置に配置され、前記交換鍵が前記鍵穴に挿入された場合には前記内筒の角度位置に応じた前記内周縁形状の対応部位の半径方向の位置変化により前記ケース係止部に対する係合の可否を生ずる半径方向内側の退避位置に配置されることを特徴とするシリンダー錠。
【請求項２】
前記外筒は前記内筒と前記ケース係止部との間に外筒係止部を有し、前記抜け止め係合部は、前記係止位置及び前記退避位置のいずれにある場合でも前記内筒の少なくとも回転可能範囲内の角度位置に拘わらず前記外筒係止部に軸線方向後方から係合して前記外筒に対する前記内筒の軸線方向前方への脱出を防止することを特徴とする請求項１に記載のシリンダー錠。
【請求項３】
前記ケース体は前記内周縁形状に対応する断面構造を有し、前記外筒は、前記外筒係止部の外周縁形状に対応し前記ケース体の断面構造に嵌合して回転規制される断面構造を有することを特徴とする請求項２に記載のシリンダー錠。
【請求項４】
前記外筒は軸線方向に伸びて前記外筒係止部に達する外周凸条を特定の角度位置に有し、前記ケース体は軸線方向に伸びて前記ケース係止部に達するとともに前記外周凸条に嵌合する内周凹溝を前記特定の角度位置に有し、前記抜け止め係合部は、前記退避位置にあるときに前記特定の角度位置において前記ケース係止部の前記内周凹溝に相当する凹状縁部よりも内側に配置されて前記ケース係止部上から退避し、且つ、前記外周係止部の前記外周凸条に相当する突出部分上に配置されることを特徴とする請求項２又は３に記載のシリンダー錠。
【請求項５】
前記内筒は軸線方向後方へ突出する連結凸部を有し、該連結凸部に嵌合して前記内筒の回転とともに作動する作動部材をさらに具備し、前記内周凹溝は、前記抜け止め係合部が配置される軸線方向の対応位置から前記連結凸部と前記作動部材の嵌合深さ分だけ前記軸線方向前方に移動した位置を少なくとも含む範囲において、前記抜け止め係合部が半径方向内側へ移動させられながら前記内周凹溝内から軸線周りの回転方向に脱出可能となるように、半径方向外側から半径方向内側に傾斜して案内する傾斜案内面を軸線周りの回転方向に伸びるように備えた拡副案内部を有することを特徴とする請求項４に記載のシリンダー錠。
【発明の詳細な説明】
【技術分野】
【０００１】
本発明はシリンダー錠に係り、特に、錠構造を交換可能に構成されたシリンダー錠の構造に関する。
【背景技術】
【０００２】
一般に、外筒内に回転可能に収容された内筒を有するシリンダー錠においては、内筒のみを着脱可能に構成し、適宜に交換可能とすることにより、合鍵の悪用などを防止することのできるものが知られている（特許文献１及び２参照）。ところが、このように内筒のみを着脱可能に構成すると、内筒単体での取り扱い性を担保するために内筒の構造に制約が課せられるとともに、内筒を外筒に対して着脱可能とするために錠構造全体も制約を受けるという問題があるため、シリンダー錠の外筒も含めた全体を交換可能に構成したシリンダー錠が開発されるに至っている（例えば、以下の特許文献３乃至６参照）。
【先行技術文献】
【特許文献】
【０００３】
【特許文献１】特開２００６−１３２１０７号公報
【特許文献２】特開２０１１−００１７７９号公報
【特許文献３】特公昭５０−００２４３３号公報
【特許文献４】実公平０２−０４９３１８号公報
【特許文献５】特公平０６−０７４６８４号公報
【特許文献６】特許第２９６３０５９号公報
【発明の概要】
【発明が解決しようとする課題】
【０００４】
しかしながら、上記各種の交換可能なシリンダー錠においては、個々に、交換時に特殊な作業が必要となり熟練者でないと対応できない（特許文献３）、キーが内筒外側面に露出するタイプのシリンダー錠にしか適用できない（特許文献４及び６）、内筒に対して断続可能なクラッチ体が別途必要となり構造が複雑になる（特許文献５）などという各種の不都合があり、全体として、交換作業が容易で汎用性があり簡易な構造で足りる錠構造を実現できていないという問題点がある。
【０００５】
そこで、本発明は上記問題点を解決するものであり、その課題は、交換作業が容易で汎用性があり簡易な構造で足りる、錠構造を交換可能なシリンダー錠を実現することにある。
【課題を解決するための手段】
【０００６】
本発明のシリンダー錠は、軸線に沿って設けられた鍵穴を備えた内筒と、該内筒を回転可能に収容する外筒と、該外筒を前記軸線方向前方より挿脱可能に収容するケース体と、前記鍵穴内に挿入された鍵構造に応じて前記外筒に対する前記内筒の回転の可否を決める錠止手段と、を具備したシリンダー錠に関する。錠止手段は、鍵穴に正規の鍵が挿入されたときには、当該正規の鍵の鍵構造により外筒内において内筒を回転可能に構成し、鍵穴に鍵が挿入されていない場合、並びに、正規の鍵以外の鍵が挿入された場合には、外筒内における内筒の回転を規制する。
【０００７】
前記ケース体は、前記軸線を中心とした円形とは異なる内周縁形状を備えたケース係止部を有する。このケース係止部は内筒の軸線方向の適宜の位置に設けることができるが、セキュリティ性を高め、且つ、構造を簡易に構成する上で、ケース体の後端部に装着することが好ましい。なお、上記ケース係止部は内筒の外周に沿った形状を有することが好ましい。また、上記ケース係止部は内筒の外周に沿った軸線周りの全周のうち少なくとも内筒の回転可能範囲と対応する角度範囲（抜け止め係合部が配置される可能性のある範囲）内に設けられていればよい。
【０００８】
一方、前記内筒には、前記鍵穴に臨む鍵係合部、及び、前記ケース係止部に対して前記軸線方向後方から係合することで前記ケース体に対する前記内筒の軸線方向前方への脱出を防止する抜け止め係合部を備えた抜け止め部材が半径方向に移動可能で前記内筒とともに回転するように装着される。これによって、抜け止め部材の抜け止め係合部を軸線方向後方からケース係止部に係合させることで、内筒がケース係止部により係止され、ケース体に対して軸線方向前方へ抜け止めされた状態とすることができる。また、鍵穴に適宜の鍵構造を有する鍵を挿入することにより、抜け止め部材を半径方向に移動させることができるとともに内筒の回転と共に回転させることができる。
【０００９】
また、前記抜け止め係合部は、交換鍵が前記鍵穴に挿入されていない場合には前記内筒の少なくとも回転可能範囲内の角度位置に拘わらず前記ケース係止部に係合する半径方向外側の係止位置に配置され、前記交換鍵が前記鍵穴に挿入された場合には前記内筒の角度位置に応じた前記内周縁形状の対応部位の半径方向の位置変化により前記ケース係止部に対する係合の可否を生ずる半径方向内側の退避位置に配置される。抜け止め係合部が内筒とともに回転するように装着されているため、抜け止め係合部も内筒の回転とともに回転するが、交換鍵が鍵穴に挿入されていないときには抜け止め係合部は半径方向外側の係止位置に配置されて内筒の角度位置に拘わらず常にケース係止部に係止されるため、内筒はケース体から軸線方向前方へ脱出できない。また、交換鍵が鍵穴に挿入されたときには抜け止め係合部は半径方向内側の退避位置に配置される結果、内筒の角度位置に応じたケース係止部の内周縁形状の対応部位の半径方向の位置変化によりケース係止部に対する係合の可否が生ずるため、内筒を特定の角度位置に設定することで上記内周縁形状の特定部位により抜け止め係合部がケース係止部により係止されないように構成できるから、内筒をケース体から軸線方向前方へ脱出可能とすることができる。ここで、上記特定の角度位置は特に限定されないが、錠構造の取り外しによる施錠状態の不正解除を避ける上では施錠角度位置以外の角度位置とすることが好ましく、さらに錠構造の取り外し作業に内筒の回転操作を必須条件とすることによりセキュリティ性を高める上では施錠角度位置及び解錠角度位置以外の角度位置とすることが望ましい。一方、上記特定の角度位置を解錠角度位置とすることで、不正解錠を回避しつつ交換作業を容易に行うことが可能になる。
【００１０】
本発明によれば、抜け止め部材を内筒に対して半径方向に移動可能で内筒とともに回転するように装着し、その抜け止め係合部が軸線方向の後方から係合するケース係止部をケース体に設けるだけで、ケース体に対して内筒を保持することができるとともに、交換鍵を鍵穴に挿入すると抜け止め部材が退避位置に配置されることでケース係止部の内周縁形状に応じた特定の角度位置でケース係止部に対する係合が解除されるため、交換鍵を挿入した状態で内筒を上記特定の角度位置に合わせるだけで容易にケース体から取り出すことが可能になる。したがって、錠構造の簡易性を確保できるとともに、交換作業を容易化でき、しかも、錠全体を（特に半径方向に）コンパクト化することができる。
【００１１】
本発明の一の態様においては、前記外筒は前記内筒と前記ケース係止部との間に外筒係止部を有し、前記抜け止め係合部は、前記係止位置及び前記退避位置のいずれにある場合でも前記内筒の少なくとも回転可能範囲内の角度位置に拘わらず前記外筒係止部に軸線方向後方から係合して前記外筒に対する前記内筒の軸線方向前方への脱出を防止する。これによれば、抜け止め係合部が外筒係止部に対して軸線方向後方から係合して内筒を外筒に対して軸線方向前方に抜け止めできるから、内筒と外筒を軸線方向に固定するために別の固定手段を用いる必要がなくなる。このため、構造をさらに簡易に構成できる。なお、上記外筒係止部は内筒の外周に沿った形状を有することが好ましい。また、上記ケース係止部は内筒の外周に沿った軸線周りの全周のうち少なくとも内筒の回転可能範囲と対応する角度範囲（抜け止め係合部が配置される可能性のある範囲）内に設けられていればよい。
【００１２】
この場合に、前記ケース体は前記内周縁形状に対応する断面構造を有し、前記外筒は、前記外筒係止部の外周縁形状に対応し前記ケース体の断面構造に嵌合して回転規制される断面構造を有することが好ましい。これによれば、外筒の断面構造とケース体の断面構造との嵌合により両者を回転方向に固定できるため、外筒をケース体に対して回転規制する別の規制手段を設ける必要がなくなる。また、ケース体の断面構造がケース係止部の内周縁形状に対応するものであり、外筒の断面構造が外筒係止部の外周縁形状に対応するものであるため、全体構造を簡易な構成とすることができる。
【００１３】
より具体的には、例えば、前記外筒は軸線方向に伸びて前記外筒係止部に達する外周凸条を特定の角度位置に有し、前記ケース体は軸線方向に伸びて前記ケース係止部に達するとともに前記外周凸条に嵌合する内周凹溝を前記特定の角度位置に有し、前記抜け止め係合部は、前記退避位置にあるときに前記特定の角度位置において前記ケース係止部の前記内周凹溝に相当する凹状縁部よりも内側に配置されて前記ケース係止部上から退避し、且つ、前記外周係止部の前記外周凸条に相当する突出部分上に配置されることが望ましい。これによれば、外筒の外周凸条と、ケース体の内周凹溝との嵌合により両者間の回転方向の固定作用を確実に実現できる。また、ケース係止部の内周凹溝に対応する凹状縁部よりも内側に抜け止め係合部を配置して、外筒係止部の外周凸条に対応する突出部分上に配置させることにより、ケース体に対する抜け止め状態を解除しつつ、外筒に対する係合状態を維持できるため、内筒を外筒とともにケース体から確実に取り出すことができる。
【００１４】
この場合において、前記内筒は軸線方向後方へ突出する連結凸部を有し、該連結凸部に嵌合して前記内筒の回転とともに作動する作動部材をさらに具備し、前記内周凹溝は、前記抜け止め係合部が配置される軸線方向の対応位置から前記連結凸部と前記作動部材の嵌合深さ分だけ前記軸線方向前方に移動した位置を少なくとも含む範囲において、前記抜け止め係合部が半径方向内側へ移動させられながら前記内周凹溝内から軸線周りの回転方向に脱出可能となるように、半径方向外側から半径方向内側に傾斜して案内する傾斜案内面を軸線周りの回転方向に伸びるように備えた拡副案内部を有することが望ましい。これによれば、内周凹溝に上記拡副案内部を設けることにより、内筒及び外筒をケース体内に挿入する場合に、抜け止め係合部が傾斜案内面に沿って案内されることで内周凹部から軸線周りの回転方向に脱出可能となるため、連結凸部を作動部材に嵌合させる際に内筒の角度位置をケース体に妨げられずに修正・調整できるようになるから、内筒に設けられた連結凸部と、当該内筒の回転に応じて作動する作動部材（デッドボルトなどの施錠部材、或いは、当該施錠部材を駆動する駆動部材）との連結作業を容易に行うことが可能になる。
【００１５】
本発明の他の態様においては、前記抜け止め部材は半径方向外側の前記抜け止め係合部が設けられている側に向けて常時付勢された状態で前記内筒に取り付けられる。これによれば、交換鍵を鍵穴に挿入するなどといった何らかの規制を抜け止め部材が受けない場合には、抜け止め係合部は付勢力により半径方向外側の係止位置に配置されるため、ケース係止部に対する係合状態を確実に保持できる。
【００１６】
本発明の別の態様においては、前記錠止手段は、前記鍵穴に正規の鍵が挿入された場合に半径方向の位置が基準位置に配置されるように構成された係合凹部を備え、前記内筒に内蔵された複数のタンブラーと、少なくとも一つの前記タンブラーの前記係合凹部が前記基準位置からずれた場合に前記内筒内への退避が不能となり、全ての前記タンブラーの前記係合凹部が前記基準位置に配置された場合に前記内筒内への退避が可能となるように構成されたサイドバーと、施錠角度位置及び解錠角度位置において前記内筒から突出した前記サイドバーの先端部を収容するように前記外筒に形成された錠止凹溝と、を含む。これによれば、シリンダー錠のセキュリティ性を高めることができるとともに、鍵穴に挿入された鍵構造に応じて位置決めされるタンブラーと、回転規制を行うサイドバーとを別々に設けることにより、タンブラーと外筒とが直接に係合しないために内筒に与えられる回転操作力がタンブラーに直接加わらず、当該回転操作力はサイドバーにのみ加わるため、錠構造の耐久性を高めることができる。
【発明の効果】
【００１７】
本発明によれば、交換作業が容易で汎用性があり簡易な構造で足りる、錠構造を交換可能なシリンダー錠を実現することができるという優れた効果を奏し得る。
【図面の簡単な説明】
【００１８】
【図１】本発明に係るシリンダー錠の実施形態の全体構成の概略を示す分解斜視図。
【図２】同実施形態の軸線方向に沿った断面図（ａ）、背面図（ｂ）並びに、解錠状態（開）の正面図（ｃ１）及び施錠状態（閉）の正面図（ｃ２）。
【図３】同実施形態における通常鍵の挿入時のタンブラーの作動状態を、軸線方向前方側から見た軸線方向と直交する断面で示す断面図。
【図４】同実施形態における正規の鍵以外の鍵の挿入時のタンブラーの作動状態を、軸線方向前方側から見た軸線方向と直交する断面で示す断面図。
【図５】同実施形態における通常鍵の挿入時の抜け止め部材の作動状態を、軸線方向後方側から見た軸線方向と直交する断面で示す断面図。
【図６】同実施形態における交換鍵の挿入時の抜け止め部材の作動状態を、軸線方向後方側から見た軸線方向と直交する断面で示す断面図。
【図７】同実施形態に用いる通常鍵の側面図及び鍵構造部分の正面図。
【図８】同実施形態に用いる交換鍵の側面図及び鍵構造部分の正面図。
【図９】同実施形態のケース体の断面図（ａ）、背面図（ｂ）及び正面図（ｃ）。
【図１０】同実施形態の外筒の断面図（ａ）、背面図（ｂ）、正面図（ｃ）及び底面図（ｄ）。
【発明を実施するための形態】
【００１９】
次に、添付図面を参照して本発明の実施形態について詳細に説明する。図１は本発明のシリンダー錠に係る実施形態の全体構成の概略を示す分解斜視図、図２は同実施形態の軸線方向に沿った断面図（ａ）、背面図（ｂ）並びに、解錠状態（開）ＵＬにあるときの正面図（ｃ１）及び施錠状態（閉）ＬＫにあるときの正面図（ｃ２）である。
【００２０】
シリンダー錠１０は、略円柱状の錠構造収容部１１ａを備えたケース体１１と、このケース体１１の錠構造収容部１１ａ内に収容され、内部に略円柱状の内筒収容部１２ａを備えた略円筒状の外筒１２と、この外筒１２の内筒収容部１２ａ内に回転可能に収容され、軸線１０ｘに沿って形成された鍵穴１３ａ、この鍵穴１３ａと交差して連通し、軸線１０ｘと直交する半径方向に沿って形成され、軸線方向に配列された複数のタンブラー孔１３ｂ、タンブラー孔１３ｂのさらに軸線方向後方に形成された抜け止め部材孔１３ｃ、及び、複数のタンブラー孔１３ｂに連通し軸線方向に伸びるように形成されたサイドバー孔１３ｄを備えた略円柱状の内筒１３と、を具備する。なお、軸線１０ｘは内筒１３の回転軸線である。
【００２１】
また、内筒１３の前面外周には半円弧状の帯材からなる表示板１４Ａ、１４Ｂが装着されている。表示板１４Ａと１４Ｂは一体の環状に構成されていてもよい。また、外筒１２の前端外周には、内筒１３の前面外周及び表示板１４Ａ、１４Ｂを覆う表示カバー１５が装着されている。表示カバー１５は、内筒１３の鍵穴１３ａの開口部を露出する好ましくは円形状の中央開口１５ａと、表示板１４Ａ、１４Ｂの一部を視認可能とする表示窓１５ｂとを備えている。
【００２２】
さらに、内筒１３の後端には軸線方向に突出する連結凸部１３ｅが設けられ、この連結凸部１３ｅは作動部材に相当するスライド板１６の長孔１６ａに嵌合し、内筒１３の回転に伴ってスライド板１６をスライドさせるようになっている。スライド板１６は張出部１６ｂを備え、この張出部１６ｂがケース体１１の後端（の四隅）に突設された係止突起１１ｂに規制される範囲でスライド動作する。ケース体１１の係止突起１１ｂには固定板１７が固定孔１１ｃ等を利用して固定され、ケース体１１と固定板１７はスライド板１６を挟持した状態で保持している。
【００２３】
内筒１３の上記タンブラー孔１３ｂ内には図３及び図４に示すタンブラー２１及びコイルばね等の弾性部材２２が収容され、弾性部材２２によりタンブラー２１は半径方向の一方側へ常時付勢されている。タンブラー２１には上記鍵穴１３ａに対応する部分（中央部）に鍵係合部（孔）２１ａが形成され、この鍵係合部２１ａへの後述する鍵構造の係合作用によりタンブラー２１が半径方向に移動するようになっている。タンブラー２１には切り欠き状の係合凹部２１ｂが設けられている。係合凹部２１ｂはサイドバー孔１３ｄに連通可能となるようにタンブラー２１の側部に形成されている。
【００２４】
サイドバー孔１３ｄ内にはサイドバー２３が内筒１３に対して出没可能に収容され、サイドバー２３を半径方向外側へ常時付勢するコイルばね等の弾性部材２４が配置される。弾性部材２４によって付勢されたサイドバー２３は、好ましくは山形の先端部２３ａが内筒１３から突出し、外筒１２の内面に形成された、好ましくは谷形の錠止凹溝１２ｂに嵌合する。図示例ではサイドバー２３は軸線方向に延びる先端部２３ａを有し、この先端部２３ａに対応して錠止凹溝１２ｂも外筒１２の内面に軸線方向に伸びるように形成される。錠止凹溝１２ｂは内筒１３の特定の回転姿勢である施錠位置ＬＫと解錠位置ＵＬに対応してそれぞれ設けられ、図示例では相互に１８０度の角度差をもって形成されている。サイドバー２３の基端部は上記タンブラー２１の係合凹部２１ｂに嵌合可能に構成される。上記複数のタンブラー２１の係合凹部２１ｂが全てサイドバー孔１３ｄに対して内側から正対すると、サイドバー２３の基端部が係合凹部２１ｂ内に収容可能となることで、サイドバー２３は弾性部材２４の弾性力に抗して内筒１３内に没することができるようになる。
【００２５】
内筒１３の上記抜け止め部材孔１３ｃ内には図５及び図６に示す抜け止め部材２５及びコイルばね等の弾性部材２６が収容され、弾性部材２６により抜け止め部材２５は半径方向の一方側へ常時付勢されている。抜け止め部材２５は抜け止め部材孔１３に収容されることで、半径方向に移動可能で、且つ、内筒１３とともに回転するように取り付けられる。抜け止め部材２５には上記鍵穴１３ａに対応する部分（中央部）に鍵係合部（孔）２５ａが形成され、この鍵係合部２５ａへの後述する鍵構造の係合作用により抜け止め部材２５が半径方向に移動するようになっている。
【００２６】
抜け止め部材２５は一方の側部にスリット２５ｄを有し、このスリット２５ｄは、上記鍵係合部２５ａを構成する内縁形状を備えた開口部分の側方にある開口周辺部の一部を切断した形状とされている。スリット２５ｄの両側には帯状の弾性片部２５ｅとこれに対向する対向部２５ｆが端部を対向させて配置される。ここで、弾性片部２５ｅの外側縁よりも対向部２５ｆの外側縁は内側に配置される。また、抜け止め部材孔１３ｃの内側縁には弾性片部２５ｅと対向部２５ｆの外側縁の位置の差に対応した段差１３ｓが形成されている。そして、この段差１３ｓに弾性片部２５ｅの端部が対向した状態で、抜け止め部材２５が抜け止め部材孔１３ｃ内に収容される。
【００２７】
このようにすると、抜け止め部材２５を図５の図示左側から抜け止め部材孔１３ｃ内に装着する際に、弾性片部２５ｅの端部が内側に弾性変形しながら抜け止め部材２５は抜け止め部材孔１３ｃ内に挿入され、弾性片部２５ｅが段差１３ｓを越えたときに外側へ復元して、図示のように格納されるため、構造を複雑化することなしに、しかも装着時の作業性を困難にすることなしに、弾性片部２５ｅの端部が段差１３ｓに当接することにより、抜け止め部材２５の内筒１３からの脱落を防止することができる。ここで、弾性片部２５ｅは対向部２５ｆよりも広幅で、且つ、延長方向に長く形成されているため、延長方向の剛性を高めつつ、装着時の弾性変形量を確保することができる。
【００２８】
図５及び図６に示すように、抜け止め部材２５の一方の端部は内筒１３から突出する係合端部である抜け止め係合部２５ｂとなっている。抜け止め係合部２５ｂのうちの先端側の部分は基端側よりも細幅とされた係合先端部２５ｃとされている。抜け止め係合部２５ｂは弾性部材２６の弾性力により半径方向外側へ突出し、内筒１３の半径方向外周側において内筒１３の外周に沿って軸線１０ｘの周りに形成された外筒係止部（周回帯状の外筒係止面）１２ｓに対し軸線方向後方から係合し、また、抜け止め係合部２５ｂのうちの係合先端部２５ｃは外筒係止部１２ｓのさらに半径方向外周側において内筒１３の外周に沿って軸線１０ｘの周りに形成されたケース係止部（周回帯状のケース係止面）１１ｓに対しても軸線方向後方から係合する。
【００２９】
本実施形態において、抜け止め部材２５は抜け止め部材孔１３ｃ内において抜け止め係合部２５ｂ（係合先端部２５ｃ）が内筒１３の全ての角度位置においてケース係止部１１ｓ上から半径方向内側に完全に退避可能な移動範囲を有する。これによって、外筒１２に対する内筒１３の取り外しが容易になる。ただし、抜け止め部材２５の半径方向の移動範囲を、後述する特定の角度位置θｓ以外の角度位置ではケース係止部１１ｓ上から退避できない範囲に限定することで、錠構造の違法な取り外しを防止することができる。
【００３０】
図７は通常鍵（通常キー）ＩＫを示し、図８は交換鍵（交換キー）ＣＫを示す。本実施形態において、通常鍵ＩＫと交換鍵ＣＫは同じ長さの鍵構造部ＩＫｓとＣＫｓを備えるが、本発明はこれに限らず、例えば、通常鍵ＩＫの鍵構造部ＩＫｓの長さよりも交換鍵ＣＫの鍵構造部ＣＫｓの長さが大きくなるように構成してもよい。本実施形態では、鍵構造部ＩＫｓ、ＣＫｓの中央にガイド溝ＩＫｇ、ＣＫｇを有し、内筒１３の鍵穴１３ａに挿入したときに鍵構造ＩＫｓ、ＣＫｓは内筒１３のガイド条１３ｐによって軸線方向に案内される。
【００３１】
上記鍵構造部ＩＫｓ（図示例では鍵山）は、タンブラー２１の鍵係合部２１ａと係合し、タンブラー２１を所望の半径方向位置に位置決めするが、抜け止め部材２５の鍵係合部２５ａとは有効な係合をせず、抜け止め係合部２５ｂは図５に示す初期位置である、半径方向外側の係止位置ＬＴとされる。ただし、鍵構造部ＩＫｓが抜け止め部材２５の鍵係合部２５ａに係合しても、結果的に抜け止め係合部２５ｂが後述する条件を満たす係止位置ＬＴに配置されるようになっていればよい。一方、鍵構造部ＣＫｓ（図示例では鍵山）は、タンブラー２１の鍵係合部２１ａ及び抜け止め部材２５の鍵係合部２５ａと係合し、タンブラー２１と抜け止め部材２５を所望の半径方向位置に位置決めし、抜け止め係合部２５ｂを図６に示す作動位置である半径方向内側の退避位置ＲＴに配置する。
【００３２】
図７及び図８に示すように、通常鍵ＩＫの鍵構造部ＩＫｓと交換鍵ＣＫの鍵構造部ＣＫｓでは、上記タンブラー２１の鍵係合部２１ａ又は上記抜け止め部材２５の鍵係合部２５ａに係合する係合縁（図示例では鍵山、或いは、溝や窪みなどでもよい。）ＩＫｔ、ＣＫｔが逆側（図示例では逆の側面側）に形成されている。このため、通常鍵ＩＫと交換鍵ＣＫはそれぞれ鍵係合部２１ａの異なる部位に係合し得るため、交換鍵ＣＫは通常鍵ＩＫのマスターキーとして構成することができる。また、本実施形態では、係合縁ＩＫｔとＣＫｔが逆側に設けられることにより、抜け止め部材２５の鍵係合部２５ａを係合縁ＣＫｔにのみ係合し（抜け止め部材２５を退避位置ＲＴに位置決めするように係合し）、係合縁ＩＫｔには係合しない（抜け止め部材２５を係止位置ＬＴに位置決めするように係合する）構成としている。なお、図示例ではリバーシブルタイプの鍵となっているので、一対の係合縁ＩＫｔ、ＣＫｔがそれぞれ１８０度対称に設けられているが、これに限定されるものではない。
【００３３】
図９に示すように、ケース体１１の軸線方向後部には軸線方向後方に向くように、内筒１３の外周に沿って軸線１０ｘの周りに形成された上記ケース係止部１１ｓが設けられ、軸線方向と直交する面に沿った平坦面とされている。一方、図１０に示すように、外筒１２の軸線方向後部には軸線方向後方に向くように、内筒１３の外周に沿って軸線１０ｘの周りに形成された上記外筒係止部１２ｓが設けられる。外筒係止部１２ｓは内筒１３とケース係止部１１ｓの半径方向中間に形成され、ケース係止部１１ｓと同じ軸線方向と直交する面上に形成された平坦面となっている。これらのケース係止部１１ｓと外筒係止部１２ｓはいずれも、構造を簡易に構成するために、ケース体１１と外筒１２においてそれぞれ軸線方向後方へ向けて開放された位置に設けられている。ただし、ケース係止部１１ｓと外筒係止部１２ｓを、それぞれケース体１１と外筒１２の軸線方向の中間位置においてスリットや凹溝を設けることなどにより構成してもよい。なお、ケース係止部１１ｓ及び外筒係止部１２ｓは、少なくとも内筒１３が外筒１２に対して回転可能な角度範囲に対応するケース体１１及び外筒１２の角度範囲において内筒１３の外周に沿って軸線１０ｘの周りに構成されていればよい。特に、本実施形態では特定の角度位置θｓが解錠角度位置と施錠角度位置の間に設定されているので、解錠角度位置と施錠角度位置の間に対応する角度範囲内においてケース係止部１１ｓ及び外筒係止部１２ｓが内筒１３の外周に沿って軸線１０ｘの周りに構成されていればよい。
【００３４】
図９に示すように、ケース体１１の内周面には軸線方向に伸びる内周凹溝１１ｔが設けられ、図１０に示すように、外筒１２の外周面には内周凹溝１１ｔと対応する位置に嵌合可能な形状を備えた外周凸条１２ｔが形成されている。外筒１２は軸線方向前方よりケース体１１の錠構造収容部１１ａ内に挿入可能とされる。外筒１２がケース体１１に挿入されたとき、内周凹溝１１ｔと外周凸条１２ｔは嵌合し、これによってケース体１１に対して外筒１２が軸線１０ｘ周りの回転方向に固定される。内周凹溝１１ｔは上記ケース係止部１１ｓまで伸びて、当該ケース係止部１１ｓの内周縁形状の一部に半径方向外側に向けて凹状に構成された凹状縁部１１ｓｒを構成する。また、外周凸条１２ｔは上記外筒係止部１２ｓまで伸びて、当該外筒係止部１２ｓの外周縁形状の一部を半径方向外側に向けて凸状に構成し、半径方向外側に突出した突出部分１２ｓｐを形成する。すなわち、外筒係止部１２ｓは、外周凸条１２ｔの対応位置（特定の角度位置θｓ）において半径方向外側へ突出した外縁形状を有し、ケース係止部１１ｓは、内周凹溝１１ｔの対応位置である上記特定の角度位置θｓにおいて半径方向外側へ回避した内縁形状を有する。このような内縁形状及び外縁形状は、ケース係止部１１ｓ及び外筒係止部１２ｓが配置される軸線１０ｘと直交する面上において相互に嵌合する。
【００３５】
なお、上記の特定の角度位置θｓは、図示例では内筒１３が施錠位置ＬＫにあるときの抜け止め係合部２５ｂが配置される施錠角度位置と、内筒１３が解錠位置ＵＬにあるときの抜け止め係合部２５ｂが配置される解錠角度位置との間（図示例では１８０度）の範囲内（図示例では当該範囲の中間角度である９０度の角度位置）に設けられているが、特に限定されるものではない。例えば、特定の角度位置θｓが上記範囲の外に設けられていてもよい。ただし、施錠角度位置以外の角度位置を特定の角度位置θｓとすることが、施錠状態を不法に解除しにくくするために好ましく、また、施錠角度位置及び解錠角度位置以外の角度位置を特定の角度位置θｓとすることが、内筒１３が回転しなければ交換できないようにすることによりセキュリティ性を高める上で望ましい。ただし、上記特定の角度位置θｓを解錠角度位置とすることで、不正解錠を回避しつつ交換作業を容易に行うことが可能になる。さらに、外筒１２の外周凸条１２ｔは錠止凹溝１２ｂが形成される所定の角度位置に設けられているので、当該角度位置における外筒１２の肉厚を確保し若しくは増加させる上で好ましい。特に、外筒１２が樹脂材料で構成される場合には、外筒１２の剛性を高めることができるという利点がある。
【００３６】
上記内周凹溝１１ｔには、ケース体１１の後部において、他の部分に設けられた内周凹溝１１ｔの幅方向の段差をなくすように拡副した拡副案内部１１ｐが形成されている。拡副案内部１１ｐは、内周凹溝１１ｔの軸線１０ｘ周りの両側に向けて回転方向に伸びて、内周凹溝１１ｔの軸線周りの回転方向外側のケース体１１の内周面へ移動するに従って半径方向の位置が半径方向外側から半径方向内側に向けて傾斜する傾斜案内面を有している。この傾斜案内面は、抜け止め部材２５が拡副案内部１１ｐの形成された軸線方向の所定の範囲内に配置された場合に、内筒１３を回転させたときに、半径方向に移動可能に構成された抜け止め部材２５の抜け止め係合部２５の先端縁を案内して、内周凹溝１１ｔ内の角度領域から脱出させることができるように形成されている。上記の所定の範囲は、内筒１３が正規の位置から軸線方向前方へ連結凸部１３ｅと長孔１６ａとの嵌合深さ分だけ移動した位置を少なくとも含む範囲とされる。
【００３７】
また、図５及び図９に示すように、ケース体１１にはケース係止部１１ｓの後方にフランジ部１１ｄが設けられ、このフランジ部１１ｄの内周面は上記ケース係止部１１ｓを外周側から取り巻く周壁面１１ｅとなっている。周壁面１１ｅは抜け止め部材２５の抜け止め係合部２５ｂの先端縁をガイドするように、当該先端縁に当接可能な位置に構成され、交換鍵ＣＫの鍵構造部ＣＫｓによって規制されていないときに抜け止め部材２５の抜け止め係合部２５ｂの先端縁が周壁面１１ｅに当接して保持される構造としてもよい。なお、図示例の場合、周壁面１１ｅは軸線１０ｘを中心とする円筒面となっている。
【００３８】
以上のように構成された本実施形態は以下のように動作する。図２（ｃ１）に示すように内筒１３が解錠位置ＵＬにあるときには、スライド板１６は図１の実線で示す位置にあり、解錠されているが、通常鍵ＩＫ又は交換鍵ＣＫを鍵穴１３ａに挿入すると、図３に示すように複数のタンブラー２１が全て基準位置に位置決めされ、図示例では全ての係合凹部２１ｂが軸線方向に揃った状態となるため、先端部２３ａが一方の錠止凹溝１２ｂに嵌合しているサイドバー２３は内筒１３内に退避可能となって、内筒１３は回転可能になる。このとき、図示例では内筒１３を１８０度時計回りに回転させることで図２（ｃ２）に示す施錠位置ＬＫに設定され、サイドバー２３の先端部２３ａが他方の錠止凹溝１２ｂに嵌合する。また、スライド板１６が図示二点鎖線の位置までスライドし、施錠される。この状態で、反時計回りに内筒１３を回転させると、再び解錠位置ＵＬに戻すことができる。
【００３９】
ここで、解錠位置ＵＬと施錠位置ＬＫでは上述のようにサイドバー２３の先端部２３ａがいずれか一方の錠止凹溝１２ｂに嵌合しているため、サイドバー２３の基端部と係合凹部２１ｂとが嵌合していないことからタンブラー２１の半径方向の移動は規制されないので、鍵の挿入及び抜き取りは自由である。一方、解錠位置ＵＬ及び施錠位置ＬＫ以外の角度位置では、サイドバー２３の先端部２３ａは内筒１３内に没した状態とされ、タンブラー２１の係合凹部２１ｂ内にサイドバー２３の基端部が嵌合しているため、タンブラー２１の半径方向の移動は規制されるから、鍵の抜き取りはできない。
【００４０】
一方、鍵穴１３ａに鍵が挿入されていない場合や正規の鍵以外の鍵が鍵穴１３ａに挿入された場合には、図４に示すように、タンブラー２１の係合凹部２１ｂの少なくとも一つがサイドバー孔１３ｄと正対しないため、サイドバー２３の先端部２３ａが錠止凹溝１２ｂから退避可能にはならず、その結果、内筒１３の外筒１２内における回転は規制され、解錠位置ＵＬ又は施錠位置ＬＫにおいて固定される。
【００４１】
次に、本実施形態において外筒１２及び内筒１３をケース体１１から取り外す際の動作について説明する。まず、通常鍵ＩＫが鍵穴１３ａに挿入されている場合、正規の鍵以外の鍵が鍵穴１３ａに挿入されている場合、或いは、鍵穴１３ａに何も挿入されていない場合においては、図５に示すように、鍵構造が抜け止め部材２５の鍵係合部２５ａに係合しないか、或いは、鍵係合部２５ａに係合しても有効な作用をしないため、抜け止め部材２５の抜け止め係合部２５ｂは半径方向外側の係止位置ＬＴに配置される。これにより、ケース係止部１１ｓ及び外筒係止部１２ｓの双方に対して、内筒１３の全角度位置（内筒１３の回転角度範囲が限定されている場合には当該回転角度範囲の全ての位置）において抜け止め係合部２５ｂが軸線方向後方から係合（当接）するため（図示とは異なるが、係合可能となる（当接していなくても引き出し時に係合する）ようにしてもよい。）、内筒１３の角度位置に拘わらず、外筒１２及び内筒１３はケース体１１に対して軸線方向前方に抜け止めされた状態にある。
【００４２】
一方、交換鍵ＣＫを鍵穴１３ａ内に挿入した場合には、図６に示すように、鍵構造部ＣＫｓの係合縁ＣＫｔの一部が抜け止め部材２５の鍵係合部２５ａと係合し、抜け止め部材２５は半径方向に移動させられるので、抜け止め係合部２５ｂは半径方向内側の退避位置ＲＴに配置される。これにより、上述のように内筒１３は回転可能となるが、抜け止め係合部２５ｂが退避位置ＲＴに配置されているため、係止位置ＬＴに配置される場合とは異なり、内筒１３の角度位置によって状況が変化する。
【００４３】
すなわち、抜け止め係合部２５ｂが特定の角度位置θｓ以外の角度位置に配置されているときには、上述と同様に抜け止め係合部２５ｂはケース係止部１１ｓと外筒係止部１２ｓの双方に対して軸線方向後方から係合（当接）するから（図示とは異なるが、係合可能となる（当接していなくても引き出し時に係合する）ようにしてもよい。）、外筒１２及び内筒１３はケース体１１に対して軸線方向前方へ抜け止めされた状態である。これに対して、内筒１３が回転して抜け止め係合部２５ｂが特定の角度位置θｓに配置されると、図６において二点鎖線で示すように、抜け止め係合部２５ｂは上記ケース係止部１１ｓの内周凹溝１１ｔの内縁形状に対応する凹状縁部１１ｓｒよりも半径方向内側に配置されるため、ケース係止部１１ｓには係合せず、上記外筒係止部１２ｓの外周凸条１２ｔに対応する突出部分１２ｓｐに係合する（図示とは異なるが、係合可能となる（当接していなくても引き出し時に係合する）ようにしてもよい。）。これによって、内筒１３は外筒１２に対しては軸線方向前方へ抜け止めされた状態のままであるが、内筒１３はケース体１１に対しては軸線方向前方へ抜き取り可能な状態となるため、交換鍵ＣＫとともに内筒１３を引き抜くことなどにより、外筒１２及び内筒１３をケース体１１から抜き取ることが可能になる。
【００４４】
次に、外筒１２及び内筒１３をケース体１１の鍵構造収容部１１ａ内に挿入する際の動作について説明する。この場合には、交換鍵ＣＫを鍵穴１３ａに挿入した状態で、内筒１３の外筒１２に対する回転姿勢を、抜け止め係合部２５ｂが特定の角度位置θｓに配置された状態とし、外筒１２及び内筒１３を鍵構造収容部１１ａ内に挿入する。このとき、抜け止め係合部２５ｂは、上記退避位置ＲＴにあるために、外筒係止部１２ｓのうち、上記外周凸条１２ｔに対応する突出部分１２ｓｐ上に配置されているので、外周凸条１２ｔ及び抜け止め係合部２５ｂはケース体１１の内周凹溝１１ｔ内を通過して支障なく挿入される。
【００４５】
上述のようにケース体１１に対して挿入した後に、交換鍵ＣＫを差したままで内筒１３を回転させると、抜け止め係合部２５ｂは外筒係止部１２ｓの上記部分から回転方向に外れるため、ケース係止部１１ｓ上にも配置され、その結果、外筒１２及び内筒１３はケース体１１に対して軸線方向前方へ抜け止めされた状態とされる。その後、交換鍵ＣＫを内筒１３の施錠位置ＬＫ又は解錠位置ＵＬにセットして鍵穴１３ａから抜き取ると、抜け止め部材２５の位置決めは解除されるため、抜け止め係合部２５ｂは係止位置ＬＴに戻り、これによって、抜け止め係合部２５ｂの角度位置に拘わらず、上記の抜け止めされた状態が確保されるようになる。
【００４６】
ただし、外筒１２及び内筒１３をケース体１１に挿入したときに、内筒１３の上記連結凸部１３ｅがスライド板１６の長孔１６ａに整合せず、内筒１３をスライド板１６に連結できない場合が考えられる。この場合には、連結凸部１３ｅが長孔１６ａに挿入されていない状態でも抜け止め部材２５の抜け止め係合部２５ｂが内周凹溝１１ｔの拡副凹部１１ｐ内に配置されるように構成されているので、内筒１３を回転させると、抜け止め係合部２５ｂの先端縁が拡副案内部１１ｐの傾斜案内面に案内されることで、抜け止め係合部２５ｂが徐々に半径方向内側に移動し、やがて抜け止め部材２５が内周凹溝１１ｔから脱出し、拡副案内部１１ｐの外側にあるケース体１１の内周面上に当接した状態にすることができる。このようになると、内筒１３の角度位置はまったく自由となるので、（連結凸部１３ｅが長孔１６ａに嵌合することを感触でさぐりながら）上記連結凸部１３ｅが上記長孔１６ａに係合する角度位置に内筒１３を回転させ、そのままさらに外筒１２及び内筒１３を軸線方向に押し込むことで、外筒１２及び内筒１３の挿入作業を完了させることができる。このとき、抜け止め係合部２５ｂはケース係止部１１ｓより軸線方向後方に押し込まれた時点で弾性部材２６の付勢力によりケース係止部１１ｓ上に突出するので、上記と同様の抜け止めされた状態になる。
【００４７】
尚、本発明のシリンダー錠は、上述の図示例にのみ限定されるものではなく、本発明の要旨を逸脱しない範囲内において種々変更を加え得ることは勿論である。例えば、上記実施形態では、ケース係止部１１ｓに凹状縁部１１ｓｒを形成し、外筒係止部１２ｓに突出部分１２ｓｐを設けて、退避位置ＲＴにある抜け止め係合部２５ｂが凹状縁部１１ｓｒより半径方向内側に配置され、且つ、突出部分１２ｓｐ上に配置されるように構成しているが、本発明はこのような態様に限らず、楕円形や長円形、或いは、偏心した円形など、ケース係止部１１ｓが軸線１０ｘを中心とする円形とは異なる内周縁形状を備えたものを広く包含する。また、上記実施形態では、ケース体１１に内周凹溝１１ｔを形成して外筒１２に形成した外周凸条１２ｔと嵌合させているが、本発明はこのような構造に限らず、ケース体１１と外筒１２の嵌合断面構造を軸線１０ｘを中心とする円形とは異なる種々の嵌合断面構造としてもよい。
【符号の説明】
【００４８】
１０…シリンダー錠、１１…ケース体、１１ａ…錠構造収容部、１１ｓ…ケース係止部、１１ｔ…内周凹溝、１１ｐ…拡副案内部、１２…外筒、１２ａ…内筒収容部、１２ｂ…錠止凹溝、１２ｓ…外筒係止部、１２ｔ…外周凸条、１３…内筒、１３ａ…鍵穴、１３ｂ…タンブラー孔、１３ｃ…抜け止め部材孔、１３ｄ…サイドバー孔、１３ｅ…連結凸部、２１…タンブラー、２１ａ…鍵係合部、２３…サイドバー、２３ａ…先端部、２５…抜け止め部材、２５ａ…鍵係合部、２５ｂ…抜け止め係合部、２５ｃ…係合先端部
【図１】
2013014953.tif 000003
【図２】
2013014953.tif 000004
【図３】
2013014953.tif 000005
【図４】
2013014953.tif 000006
【図５】
2013014953.tif 000007
【図６】
2013014953.tif 000008
【図７】
2013014953.tif 000009
【図８】
2013014953.tif 000010
【図９】
2013014953.tif 000011
【図１０】
2013014953.tif 000012